(57)【要約】【課題】パチンコ球の流下列を単列から複数列に換えられるパチンコ球分流装置を提供し、パチンコ球の供給速度を速くするとともに、多数のパチンコ球を貯留させても球流路が冗長にならないようにする。【解決手段】パチンコ球Ｐが一連の整列状態で流下する球流下路２の出口側に回転振分体３を回転自在に軸支し、該回転振分体の下流に該回転振分体の回転軸方向に隣接するように夫々流入口６ａ，６ｂを有する２つの球流路７ａ，７ｂを設けるとともに、該回転振分体の外周に形成される球受面９ａ〜９ｈを前記両流入口に向けて１ピッチ毎に交互に異なる方向に傾斜する傾斜面状に形成してなる。【選択図】図３
2005304787.tif 000002
【特許請求の範囲】
【請求項１】
パチンコ球が一連の整列状態で流下する球流下路の出口側に回転振分体を回転自在に軸支し、該回転振分体の下流に該回転振分体の回転軸方向に隣接するように夫々流入口を有する２つの球流路を設けるとともに、該回転振分体の外周に形成される球受面を前記両流入口に向けて１ピッチ毎に交互に異なる方向に傾斜する傾斜面状に形成してなることを特徴としたパチンコ球分流装置。
【請求項２】
パチンコ球が一連の整列状態で流下する球流下路の出口側に回転振分体を回転自在でかつ回転軸方向に移動可能に軸支し、該回転振分体の下流に該回転振分体の回転軸方向に隣接するように夫々流入口を有する２つの球流路を設けるとともに、該回転振分体の外周に形成された球受面の１ピッチ毎に該回転振分体を前記両流入口に向けて交互に移動させるカム機構を設けてなることを特徴とするパチンコ球分流装置。
【発明の詳細な説明】
【技術分野】
【０００１】
本発明は整列状態で流下するパチンコ球を２つの球流路に均等に分流する装置に関するものである。
【背景技術】
【０００２】
周知のようにパチンコ球は、本来のパチンコ機に使用されるほか、スロットマシンの遊技媒体としても使用される。即ち、係るスロットマシンは、球受皿の下流に球計数排出装置が設けられ、所定数のパチンコ球を１単位とするパチンコ球が球計数排出装置によって計数されて取り込まれることにより、ゲームがスタートできるように構成されたものである。
【０００３】
下記特許文献１はそのためにスロットマシンに設けられるパチンコ球取り込み装置を示すものである。
【特許文献１】特開２００２−１７７４５７号公報
【発明の開示】
【発明が解決しようとする課題】
【０００４】
ところで、上記従来のパチンコ球取り込み装置は、球受皿から球計数排出装置に連なる球流路がパチンコ球を縦一列の整列状態で流下させるように構成されたものであった。このため、パチンコ球の取り込みが間断なく行われるようにしようとするものの、一定時間内に取り込み得るパチンコ球の数はそのパチンコ球の流下速度の制限を受けざるを得ないものであった。このために、所定数を１単位とするパチンコ球の取り込み要求が頻繁であると、パチンコ球の流下が間に合わなくなるおそれがあった。
また、縦一列では球流路が長くなるため多数のパチンコ球を貯留できない欠点があった。
【０００５】
そこで本発明は、パチンコ球の流下列を単列から複数列に換えられるパチンコ球分流装置を提供し、上記課題を解決しようとするものである。
【課題を解決するための手段】
【０００６】
本発明の請求項１に記載のパチンコ球分流装置は、パチンコ球が一連の整列状態で流下する球流下路の出口側に回転振分体を回転自在に軸支し、該回転振分体の下流に該回転振分体の回転軸方向に隣接するように夫々流入口を有する２つの球流路を設けるとともに、該回転振分体の外周に形成される球受面を前記両流入口に向けて１ピッチ毎に交互に異なる方向に傾斜する傾斜面状に形成してなることを特徴とする。
【０００７】
また本発明の請求項２に記載のパチンコ球分流装置は、パチンコ球が一連の整列状態で流下する球流下路の出口側に回転振分体を回転自在でかつ回転軸方向に移動可能に軸支し、該回転振分体の下流に該回転振分体の回転軸方向に隣接するように夫々流入口を有する２つの球流路を設けるとともに、該回転振分体の外周に形成された球受面の１ピッチ毎に該回転振分体を前記両流入口に向けて交互に移動させるカム機構を設けてなることを特徴とする。
【発明の効果】
【０００８】
球流路が複数列に分流されることから、パチンコ球の供給速度を速くできるとともに、多数のパチンコ球を貯留させても球流路が冗長になることがない。
【実施例１】
【０００９】
次に請求項１に記載の発明の実施例を説明する。図１は本発明に係るスロットマシンの前面に設けられた球貯留皿の平面図で、多数のパチンコ球Ｐを貯留し得る球貯留皿１は、球流下路２に向けて緩やかな傾斜状樋１ａが形成されている。そして、該パチンコ球は傾斜状樋１ａによって一連の整列状態となって球流下路２に至る。図２は本発明に係るパチンコ球分流装置の縦断面図を示すもので、同図中、３はケース４に水平に支持された回転軸５によって鉛直面内で回転自在なるようにに軸支された回転振分体で、該回転振分体の外周を前記球流下路２の出口側に臨ませる。これにより該回転振分体は球重量で矢印の方向に回転する。また、該回転振分体の下流には図３に示したように回転軸５方向に隣接するように夫々流入口６ａ，６ｂを有する２つの球流路７ａ，７ｂが設けられる。該回転振分体３は、図４にも示したように、外周面にパチンコ球を受承し得る円弧樋状の球受面９ａ〜９ｈが形成され、かつ該各球受面９ａ〜９ｈは１ピッチ毎に交互に傾斜方向の異ならしめた傾斜面状に形成されたものである。なお、球流路７ａと球流路７ｂとの間の仕切壁１０は、先細テーパ状に形成された上端部１０ａが前記球流下路２の直下中心に位置するように設けられる。
【００１０】
また、図１における符号１１は前記球貯留皿１の一側に設けられた投入ボタン、１２は返却（清算）ボタン、１３はスタートレバー、１４ａ，１４ｂ，１４ｃはストップボタンを示す。また、１５は球流路７ａ，７ｂの下流に設けられた球計数排出装置である。そして、遊技者が該投入ボタン１１を操作することで、該球計数排出装置のモータ１７がりードスクリュー１８を回転させ、所定数のパチンコ球を取り込むように構成される。
【００１１】
このため球流下路２を整列状態で流下したパチンコ球Ｐは、回転振分体３の球受面９ａ〜９ｈに乗りその傾斜に沿って転動することにより、流入口６ａまたは６ｂに向かって転動し、球流路７ａまたは７ｂに振り分けられ、２列となって該球流路７ａ，７ｂに貯留される。そして、該球流路７ａ，７ｂに貯留されたパチンコ球は球計数排出装置１５が作動することによって取込口１９に取り込まれる。このため、従来のように１列のまま取り込むよりも一時に多数のパチンコ球が取り込まれ、取り込みに要する時間が短縮されるとともに、頻繁に取り込みが行われてもパチンコ球が２列にて即座に流下することから間断なく取り込まれる。また、球流路７ａ，７ｂに２列にてパチンコ球が貯留されることから、１列の場合のように高さが冗長になることなく、球計数排出装置１５上に多数のパチンコ球を待機させることができる。なお、回転振分体３下方の球流路７ａ，７ｂの長さは、球計数排出装置１５が作動することによって一度に取り込まれるパチンコ球数よりもやや多いパチンコ球数が貯留できるように設定するのがよい。
【００１２】
なお、球計数排出装置１５を作動させるための制御系、および、球センサ、球排出路等の構成は本発明とはとくに関連がないので説明を省略する。
【実施例２】
【００１３】
一方、図５〜図９は請求項２に記載のパチンコ球分流装置の実施例を示す。この実施例では、図８，図９に斜視図を示したように、回転振分体３の両端部に軸方向に向けて螺旋状に起伏するカム２０，２１を形成し、該回転振分体３を回転軸５上にて軸方向に移動可能に軸支する。そして該回転振分体３の両端部と相対するケース４の内面に突起２２，２３を形成し、該回転振分体３が回転し、カム２０が突起２２に当たると該回転振分体３は図６に示したように右方向に移動し、カム２１が突起２３に当たると該回転振分体３は図７に示したように左方向に移動するように構成する。なお、該回転振分体３は外周に１／４周を１ピッチとする４つの球受面９ａ〜９ｄが形成され、その１ピッチ毎に該回転振分体３を両流入口６ａ，６ｂに向けて交互に移動させるように上記カム機構を形成している。なお、各球受面９ａ〜９ｄの端部にはパチンコ球の落下を防ぐ突提２５が交互に形成されている。
【００１４】
また、２６はピン２７に回転自在に枢支された重りで、該重りに形成された脚部２８を回転振分体３の一側部に一体に形成された外周に起伏のある筒部２９の外周に当接させている。このため、回転振分体３が無負荷状態であるときに該脚部２８が筒部２９を押圧し該回転振分体３を定回転位置で停止させることにより、球流下路２より流入したパチンコ球の球噛みを防ぐ。なお、この分流装置のその他の構成は前記実施例１と同一部分に同一符号を付すことで説明を割愛する。
【００１５】
このように構成したパチンコ球分流装置では、球流下路２に整列状態であるパチンコ球Ｐの荷重が球受面９ａ〜９ｄに掛かることで該回転振分体３が１／４回転すると、前記カム機構の作用により該回転振分体３が回転軸方向に移動せられ、流入口６ａ上または流入口６ｂ上に該パチンコ球Ｐを運んで開放することから、該パチンコ球Ｐが球流路７ａ，７ｂに交互に振り分けられる。このためこの実施例の場合も該球流路７ａ，７ｂに貯留されたパチンコ球を球計数排出装置が作動することによって迅速に取り込むことができる。
【００１６】
なお、これらの実施例は、スロットマシンにおける球取込装置について説明したが、本発明は球取込装置に限らず、パチンコ球の払出装置、或いは計数装置等におけるパチンコ球流路を複数列に分流させる用途にも広く使用することが可能である。
【図面の簡単な説明】
【００１７】
【図１】本発明の実施例を示すスロットマシンの球貯留皿の平面図。
【図２】本発明の実施例を示すパチンコ球分流装置の縦断面図。
【図３】図２のパチンコ球分流装置のＡ−Ａ線断面図。
【図４】図２のパチンコ球分流装置の回転振分体の斜視図。
【図５】本発明の他の実施例を示すパチンコ球分流装置の縦断面図。
【図６】図５のパチンコ球分流装置のＢ−Ｂ線断面図。
【図７】図６の作動状態図。
【図８】図５のパチンコ球分流装置の回転振分体の斜視図。
【図９】図８の回転振分体を視点を変えて見た斜視図。
【符号の説明】
【００１８】
Ｐ            パチンコ球
１            球貯留皿
２            球流下路
３            回転振分体
５            回転軸
６ａ，６ｂ    流入口
７ａ，７ｂ    球流路
９ａ〜９ｈ    球受面
１５          球計数排出装置
２０，２１    カム
【図１】
2005304787.tif 000003
【図２】
2005304787.tif 000004
【図３】
2005304787.tif 000005
【図４】
2005304787.tif 000006
【図５】
2005304787.tif 000007
【図６】
2005304787.tif 000008
【図７】
2005304787.tif 000009
【図８】
2005304787.tif 000010
【図９】
2005304787.tif 000011